(57)【特許請求の範囲】
【請求項１】
カメラの複数の機能に関する設定及び／又は制御状態をそれぞれ表示する複数の表示領域を含む表示部と、
撮影に関連する機能を選択・設定可能な少なくとも１つのモード設定位置を選択するモード選択部と、
前記機能を選択・設定する選択・設定操作部と、
前記機能を、前記選択・設定操作部で選択・設定された状態から所定の初期状態にリセットするリセット操作部と、
を有するカメラのリセット装置において、
前記リセット操作部の操作に応じて、前記機能を前記所定の初期状態にリセットすると共に、前記表示部の前記複数の表示領域を全て無表示状態とするリセット表示を所定時間だけ行ない、当該所定時間後に前記表示部を、前記無表示状態から前記所定の初期状態にリセットされたことを示す表示状態に切り換えるリセット制御部を備えたこと、
を特徴とするカメラのリセット装置。
【請求項２】
請求項１に記載のカメラのリセット装置において、
前記モード選択部が、撮影に関連する第１の機能を選択・設定する少なくとも１つの第１のモード設定位置にあるときにレリーズ動作を可能とし、前記第１の機能とは異なる第２の機能を選択・設定する少なくとも１つの第２のモード設定位置にあるときにレリーズ動作を禁止すること、
を特徴とするカメラのリセット装置。
【請求項３】
請求項１又は２に記載のカメラのリセット装置において、
前記リセット制御部は、前記表示部を一瞬だけ消灯するリセット表示を行なうこと、を特徴とするカメラのリセット装置。
【請求項４】
請求項１〜３までのいずれか１項に記載のカメラのリセット装置において、
前記リセット操作部は、２つの操作部材を備え、
前記リセット制御部は、前記２つの操作部材が同時に所定時間以上操作し続けられたときに、前記リセット操作部が操作されたと判断すること、を特徴とするカメラのリセット装置。
【請求項５】
請求項１〜４の何れか１項に記載のカメラのリセット装置において、
前記リセット操作部を操作したときに、前記モード選択部によって選択されたモード設定位置で選択・設定可能な機能のみをリセットするリセット制御部を備えたこと、
を特徴とするカメラのリセット装置。
【請求項６】
請求項１〜５に記載のカメラのリセット装置において、
前記モード選択部は、カメラの撮影開始指示操作により起動される複数種類の撮影条件を設定可能な撮影条件設定モードを選択可能であり、
前記リセット制御部は、前記モード選択部が前記撮影条件設定モードを選択しているときに前記リセット操作部を操作されると、前記複数種類の撮影条件のみを一度に前記初期状態にリセットすること、を特徴とするカメラのリセット装置。
【請求項７】
請求項６に記載のカメラのリセット装置において、
前記複数種類の撮影条件は、ブラケティング設定に関する条件と、露出補正条件とを含むことを特徴とするカメラのリセット装置。
【請求項８】
請求項６又は７に記載のカメラのリセット装置において、
前記モード選択部は、前記撮影条件設定モードと、複数の機能の設定値を各機能ごとに設定可能なカスタム設定モードと、フィルム感度を設定可能なフィルム感度設定モードとの少なくとも１つのモードを選択可能であり、
前記リセット制御部は、前記リセット操作部を操作したときに、前記モード選択部による各選択モードでリセットされる内容が、前記各選択モードによって設定可能な数値や状態のみであること、を特徴とするカメラのリセット装置。
【発明の詳細な説明】
【０００１】
【発明の属する技術分野】
本発明は、撮影に関連する機能を選択・設定した後に、その機能をリセット可能なカメラのリセット装置に関するものである。
【０００２】
【従来の技術】
従来より、釦を押しながらダイアルを回転することにより、数値や設定状態を変更することができるカメラが提案されている。この種のカメラでは、標準的な値や状態から変更できることが特徴であるが、もとの数値や状態に戻すのが面倒である。そこで、１組の操作部材を設け、これらを操作することにより、もとの状態にリセットされるように構成されたカメラがある。
【０００３】
【発明が解決しようとする課題】
ところが、前述した従来の技術では、２つの釦などを同時に押す等して、１組の操作部材をリセット操作したとしても、その操作でリセットされたか否かがわかりにくい、という問題があった。
また、前述したリセット操作をすると、変更した値や設定状態の全てが同時にリセットされてしまう、という問題があった。
【０００４】
本発明の目的は、上記課題を解決して、リセットされたか否かが容易に理解できるカメラのリセット装置を提供することである。
また、本発明の他の目的は、特定の機能のみをリセットでき、しかも、リセットされる機能がわかりやすいカメラのリセット装置を提供することである。
【０００５】
【課題を解決するための手段】
前記課題を解決するために、請求項１に記載の発明は、カメラの複数の機能に関する設定及び／又は制御状態をそれぞれ表示する複数の表示領域を含む表示部と、撮影に関連する機能を選択・設定可能な少なくとも１つのモード設定位置を選択するモード選択部と、前記機能を選択・設定する選択・設定操作部と、前記機能を、前記選択・設定操作部で選択・設定された状態から所定の初期状態にリセットするリセット操作部と、を有するカメラのリセット装置において、前記リセット操作部の操作に応じて、前記機能を前記所定の初期状態にリセットすると共に、前記表示部の前記複数の表示領域を全て無表示状態とするリセット表示を所定時間だけ行ない、当該所定時間後に前記表示部を、前記無表示状態から前記所定の初期状態にリセットされたことを示す表示状態に切り換えるリセット制御部を備えたこと、を特徴とするカメラのリセット装置である。
【０００６】
請求項２の発明は、請求項１に記載のカメラのリセット装置において、前記モード選択部が、撮影に関連する第１の機能を選択・設定する少なくとも１つの第１のモード設定位置にあるときにレリーズ動作を可能とし、前記第１の機能とは異なる第２の機能を選択・設定する少なくとも１つの第２のモード設定位置にあるときにレリーズ動作を禁止すること、を特徴とするカメラのリセット装置である。
【０００８】
請求項３の発明は、請求項１又は２に記載のカメラのリセット装置において、前記リセット制御部は、前記表示部を一瞬だけ消灯するリセット表示を行なうこと、を特徴とするカメラのリセット装置である。
【０００９】
請求項４の発明は、請求項１〜３までのいずれか１項に記載のカメラのリセット装置において、前記リセット操作部は、２つの操作部材を備え、前記リセット制御部は、前記２つの操作部材が同時に所定時間以上操作し続けられたときに、前記リセット操作部が操作されたと判断すること、を特徴とするカメラのリセット装置である。
【００１０】
請求項５の発明は、請求項１〜４の何れか１項に記載のカメラのリセット装置において、前記リセット操作部を操作したときに、前記モード選択部によって選択されたモード設定位置で選択・設定可能な機能のみをリセットするリセット制御部を備えたこと、を特徴とするカメラのリセット装置である。
【００１２】
請求項６の発明は、請求項１〜５に記載のカメラのリセット装置において、前記モード選択部は、カメラの撮影開始指示操作により起動される複数種類の撮影条件を設定可能な撮影条件設定モードを選択可能であり、前記リセット制御部は、前記モード選択部が前記撮影条件設定モードを選択しているときに前記リセット操作部を操作されると、前記複数種類の撮影条件のみを一度に前記初期状態にリセットすること、を特徴とするカメラのリセット装置である。
請求項７の発明は、請求項６に記載のカメラのリセット装置において、前記複数種類の撮影条件は、ブラケティング設定に関する条件と、露出補正条件とを含むことを特徴とするカメラのリセット装置である。
請求項８の発明は、請求項６又は７に記載のカメラのリセット装置において、前記モード選択部は、前記撮影条件設定モードと、複数の機能の設定値を各機能ごとに設定可能なカスタム設定モードと、フィルム感度を設定可能なフィルム感度設定モードとの少なくとも１つのモードを選択可能であり、前記リセット制御部は、前記リセット操作部を操作したときに、前記モード選択部による各選択モードでリセットされる内容が、前記各選択モードによって設定可能な数値や状態のみであること、を特徴とするカメラのリセット装置である。
【００１３】
【発明の実施の形態】
以下、図面などを参照しながら、本発明の実施の形態をあげて、さらに詳しく説明する。
図１は、本発明の実施形態によるリセット装置を有するカメラを示すブロック図、図２は、図１のカメラの液晶表示部を示す図、図３は、図１のカメラの上面図である。
演算回路１０１は、マイコン等から構成される回路であり、後述する各種スイッチ、装置の出力を入力して演算するとともに、この演算結果を基づいて、各種装置を制御する。
【００１４】
液晶表示部１０２は、図２に示すように、演算回路１０１の出力する信号に応じて、駆動回路１０３の出力する信号に基づいて、表示状態を制御される。なお、演算回路１０１が信号を出力してから次の信号を出力するまでの間には、駆動回路１０３は、同一信号の出力を継続しており、液晶表示部１０２の表示は、同一に保持される。
【００１５】
ここで、液晶表示部１０２には、図２に示すようなセグメントが配置されている。シャッタ速度表示部１００１は、シャッタ速度、フィルム感度、露出補正値、カスタム番号が表示される。なお、シャッタ速度を表示する場合は、棒状セグメント１００４を点灯する。
【００１６】
絞り値表示部１００２は、絞り値、カスタム番号のセット状態（０：標準、１：セット変更）を表示する。絞り値を表示する場合は、Ｆセグメント１００３と棒状セグメント１００５を点灯する。ＤＸマーク１００６は、フィルム感度自動設定の場合に点灯する。露出補正マーク１００７は、露出補正設定時又は露出補正釦（後述）を押した場合に点灯する。ブラケティングマーク１００８は、ブラケティング設定時に点灯する。カスタムマーク１００９は、カスタム番号のいずれか一つでも標準以外に設定されると点灯する。
【００１７】
ブラケティングバーグラフ１１００は、ブラケティングの設定時又はブラケティング釦（後述）を押した場合に点灯する。そして、ブラケティング撮影の進行に伴い右側のセグメント（右向き黒三角印）１１０３、中央のセグメント（黒四角印）１１０２が順に消えてゆき、３枚目の撮影後に、セグメント（左り右向き黒三角印）１１０１からセグメント１１０３までが全て点灯する。カウンタ表示部１０１０は、撮影枚数の値（カウンタ）が表示される。カウンタ表示時には、両側の括弧マーク（［）１０１１、括弧マーク（］）１０１２も同時に点灯する。
【００１８】
図１に戻って、測光素子１０４は、被写体の明るさを測光し、その輝度情報を演算回路１０１へ出力する。露出制御装置１０５は、シャッタや絞り又は絞り制御装置と、これらを駆動するための駆動回路とから構成される。後述するレリーズ釦の押し下げにより撮影を指示されると、シャッタ速度及び絞りを演算回路により指示された値に制御し、フィルムを露光して撮影を行う。
【００１９】
裏蓋検出装置１０６は、不図示の裏蓋の開放及び閉鎖を検出して、演算回路１０１へ出力する。フィルム検出装置１０７は、フィルムの有無を検出して、演算回路１０１へ出力する。パトローネ情報検出装置１０８は、パトローネに設けられているフィルム感度に関するＤＸコードの信号を検出して、演算回路１０１へ出力する。
【００２０】
フィルム給送装置１０９は、演算回路１０１の指示により、フィルムを巻上げることによって、フィルムの第１駒目の位置出しを行う初期送りや、各撮影駒の位置出しを行う駒送りを実行するとともに、フィルムをパトローネ内に巻き込む巻戻しを行う。なお、巻戻しの際に、カスタムセッティングにより、サイレント巻戻しがセットされているときには、フィルム給送装置１０９の動力源であるモータを７５％程度のデューティ駆動することにより、騒音の少ない巻戻し動作が実行される。また、高速巻戻しがセットされているときには、フィルム給送装置１０９の動力源であるモータをフル通電することによって駆動して、高速の巻戻し動作が実行される。
【００２１】
終端検出装置１１０は、フィルム給送装置１０９にも接続され、フィルムが終端まで巻き上げられたことを検出し、演算回路１０１へ出力する。
【００２２】
サブコマンドダイアル２００（図３参照）は、２つのスイッチ２０１，２０２から構成され、サブコマンドダイアル２００がアップ回転かダウン回転かの判定が可能である。また、メインコマンドダイアル３００（図３参照）は、２つのスイッチ３０１，３０２から構成され、メインコマンドダイアル２００がアップ回転かダウン回転かの判定が可能である。
【００２３】
モードダイアル４００は、２つのスイッチ４０１，４０２から構成され、図３に示すように、撮影位置（Ｐ）、カスタム設定位置（ＣＳＭ）、フィルム感度設定位置（ＩＳＯ）の３ポジションを判定可能である。ここで、”Ｐ”では、レリーズ動作が可能であるが、”ＣＳＭ”，”ＩＳＯ”では、レリーズ動作ができない。
露出補正釦５００（図３参照）は、この露出補正釦５００の押し下げに連動してスイッチ５０１がオンし、押し下げの解除に連動してオフする。モードダイアル４００が撮影位置のときに、この露出補正釦５００を押しながら、メインコマンドダイアル３００を回転すると、液晶表示部１０２のシャッタ速度表示部１００１に露出補正値が表示されて、露出補正の値を設定できる。
【００２４】
ブラケティング釦（図３参照）６００は、このブラケティング釦６００の押し下げに連動してスイッチ６０１がオンし、押し下げの解除に連動してオフする。モードダイアル４００が撮影位置のときに、このラケティング釦６００を押しながら、メインコマンドダイアル３００を回転すると、液晶表示部１０２のブラケティングマーク１００８とブラケティングバーグラフ１１００が点灯してされて、ブラケティングを設定できる。
【００２５】
巻戻し釦（図３参照）７００は、この巻戻し釦７００の押し下げに連動してスイッチ７０１がオンし、押し下げの解除に連動してオフする。モードダイアル４００が撮影位置のときに、この巻戻し釦７００を所定時間押し続けると、巻戻し動作を起動する。
【００２６】
レリーズ釦（図３参照）９００は、このレリーズ釦９００の押し下げに連動してスイッチ９０１がオンし、押し下げの解除に連動してオフする。モードダイアル４００が撮影位置のときに、このレリーズ釦９００を押し下げると撮影動作を起動する。
【００２７】
また、モードダイアル４００が撮影位置のときに、図３に示すように、指標５１０のついた露出補正釦５００と指標６１０のついたブラケティング釦６００とを、同時に１秒以上押すことにより、露出補正値とブラケティング設定と撮影途中の条件がリセットされる。
モードダイアル４００がカスタム設定位置のときに、指標５１０のついた露出補正釦５００と指標６１０のついたブラケティング釦６００とを、同時に１秒以上押すとカスタム設定内容が全てリセットされる。
モードダイアル４００がフィルム感度設定位置のときに、指標５１０のついた露出補正釦５００と指標６１０のついたブラケティング釦６００とを、同時に１秒以上押すとフィルム感度が自動設定にリセットされる。
以上のように、指標５１０、６１０は、露出補正釦５００とブラケティング釦６００を同時に押すことによって、リセットされることを示す指標である。
【００２８】
図４，図５は、本実施形態によるカメラのリセット装置の演算回路１０１の動作のメインルーチンを示すフローチャートである。カメラに不図示の電池が装填されると、本プログラムがスタートして、以下に示すステップＳ１以降を順次行う。
Ｓ１では、動作の制御に使用するフラグ、パラメータの初期設定を行う。フラグＢ、Ｃ（１）、Ｃ（２）、Ｃ（３）、Ｃ（４）、Ｃを０にセットし、パラメータＮ、Ｉを１にセットし、パラメータＨ、Ｓ、Ｔ、Ａ、Ｆを０にセットする。
【００２９】
ここで、フラグＢは、ブラケティングフラグであり、ブラケティングの設定により１になり、ブラケティングの解除により、０になるフラグである。
フラグＣ（１）は、フィルム終端自動巻戻しフラグであり、フィルム終端自動巻戻しの設定により０になり、フィルム終端であっても、巻戻し釦７００を所定時間押し続けて巻戻し動作を起動する設定で１になる。
フラグＣ（２）は、サイレント巻戻しフラグであり、サイレント巻戻しの設定により１になり、高速巻戻しの設定により０になる。
フラグＣ（３）は、フィルム感度自動設定復帰フラグであり、フィルム交換によってフィルム感度自動設定に復帰する設定により０になり、フィルム交換でも設定フィルム感度を保持する設定により１なる。
フラグＣ（４）は、自動初期送りフラグであり、裏蓋の閉鎖によりフィルムの初期送り動作を起動する設定で０になり、裏蓋の閉鎖後レリーズ釦の押し下げによりフィルムの初期送り動作を起動する設定で１になる。
フラグＣは、カスタムセッティングフラグであり、カスタムセッティング項目のフラグＣ（１）、Ｃ（２）、Ｃ（３）、Ｃ（４）のいずれか１つのフラグでもセットされると、１になるフラグである。
【００３０】
パラメータＮは、ブラケティング撮影の何枚目の撮影かを示す。本実施形態では、３枚で一連のブラケティング撮影を行うようになっているので、Ｎのとりうる値は１〜３である。このＮの値と、ブラケティングバーグラフ１１０１，１１０２，１１０３の表示状態との関係を以下に示す。
【００３１】
［表１］
Ｎ    ブラケティングバーグラフ
１    １１０１，１１０２，１１０３
２    １１０１，１１０２
３    １１０１
【００３２】
パラメータＩは、カスタム項目番号を示す。本実施形態では、カスタム項目は、上記Ｃ（１），Ｃ（２），Ｃ（３），Ｃ（４）の４種類であるので、Ｉのとりうる値は１〜４である。
パラメータＨは、露出補正の値を示す。パラメータＨと露出補正の値は、以下のようになる。なお、パラメータＨが０の場合には、露出補正を設定していないとみなす。ΔＥＶは、アペックス演算のための表示をしたときの露出補正値である。
【００３３】
0004279967.tif 000002
【００３４】
パラメータＳは、フィルム感度を示す。なお、パラメータＳが０の場合には、フィルム感度自動設定であり、前述したパトローネ情報検出装置１０８によりパトローネに設けられているフィルム感度に関するＤＸコードの信号を検出して演算に使用する。ここで、パラメータＳとフィルム感度とアペックス演算時のフィルム感度ＳＶとの関係を以下に示す。
【００３５】
0004279967.tif 000003
0004279967.tif 000004
【００３６】
パラメータＴは、シャッタ速度を示す。なお、パラメータＴが０とは、測光前で演算回路１０１がシャッタ速度を算出できない場合に使用する初期値である。ここで、パラメータＴとシャッタ速度とアペックス演算時のシャッタ速度ＴＶとの関係を以下に示す。
【００３７】
0004279967.tif 000005
【００３８】
パラメータＡは、絞り値を示す。なお、パラメータＡが０とは、測光前で演算回路１０１が絞り値を算出できない場合に使用する初期値である。ここで、パラメータＡと絞り値とアペックス演算時の絞り値ＡＶとの関係を以下に示す。
【００３９】
0004279967.tif 000006
【００４０】
パラメータＦは、撮影済みの枚数（フィルムカウンタ）を示す。なお、パラメータＦが０の場合には、フィルムカウンタ表示をＥとする。ここで、パラメータＦとフィルムカウンタ表示との関係を以下に示す。
【００４１】
0004279967.tif 000007
0004279967.tif 000008
【００４２】
Ｓ２では、撮影に関する情報の表示や各種操作部材の操作による表示を行う。図６〜図１２は、本実施形態によるカメラのリセット装置の演算回路１０１の設定・表示の動作のサブルーチンを示すフローチャートである。設定・表示の動作は、図６のＳ１０１からスタートする。
【００４３】
Ｓ１０１では、スイッチ４０１，４０２の状態から、図３の露出モードダイアル４００の文字”Ｐ”が指標４１０に対向するか否かを判定する。文字”Ｐ”が指標４１０と対向すると判定するとＳ１０２に進み、文字”Ｐ”は指標４１０と対向しないと判定すると図１１のＳ１５５へ進む。
【００４４】
Ｓ１０２では、スイッチ５０１により、図３の露出補正釦５００が押し下げられているか否かを判定する。押し下げられていると判定するとＳ１０３へ進み、押し下げられていないと判定すると、図７のＳ１１１へ進む。
【００４５】
Ｓ１０３では、スイッチ６０１により、図３のブラケティング釦６００が押し下げられているか否かを判定する。押し下げられていると判定するとリセット操作が行われたと判断してＳ１３６へ進み、以降によってリセットのための処理を行う。また、押し下げられていないと判定すると、リセット操作ではなくて露出補正のための操作が行われたと判断して、Ｓ１０４へ進み、露出補正のための処理を行う。
【００４６】
Ｓ１０４では、スイッチ３０１，３０２により、図３のメインコマンドダイアル３００が設定値を増加させる方向の回転（本実施形態では、反時計方向回転）したか否かを判定する。反時計方向回転の場合はＳ１０５へ進み、そうでない場合はＳ１０８へ進む。
【００４７】
Ｓ１０５では、パラメータＨが６か否かの判定をする。６でない場合はＳ１０６へ進み、６の場合はＳ１０６をスキップしてＳ１０７へ進む。
Ｓ１０６では、パラメータＨの値を１だけアップする。本実施形態では、前述したように、パラメータＨは、−６〜０〜６の整数であるからパラメータＨが最大値であるか否かを判定して、最大値の６である場合には、メインコマンドダイアル３００の設定値を増加させる回転を無効とするために、本ステップをスキップさせている。
【００４８】
Ｓ１０７では、図３の露出補正マーク１００７を点灯させるための表示信号と、パラメータＨにもとづいた露出補正値を表示させるための信号とを、駆動回路１０３へ出力して、前記Ｓ１０１へ戻る。このとき、出力された表示信号にもとづいて、駆動回路１０３は、液晶表示部１０２を駆動して表示をさせる。露出補正釦５００を押し下げたときの一例として、Ｈ＝６、すなわち、露出補正値が＋３．０の表示例を図１４に示す。
【００４９】
一方、Ｓ１０４によってメインコマンドダイアル３００が反時計方向回転していないと判定すると、Ｓ１０８以降の処理となる。
Ｓ１０８では、スイッチ３０１，３０２により、図３のメインコマンドダイアル３００が設定値を減少させる方向の回転（本実施形態では、時計方向回転）したか否かを判定する。時計方向回転の場合はＳ１０９へ進み、そうでない場合は、メインコマンドダイアル３００は回転していないと判断して、前述したＳ１０７へ行く。
【００５０】
Ｓ１０９では、パラメータＨが−６か否かの判定をする。−６でない場合はＳ１１０へ進み、ー６の場合は、Ｓ１１０をスキップしてＳ１０７へ行く。
Ｓ１１０では、パラメータＨの値を１だけダウンする。本実施形態では、前述したように、パラメータＨは、−６〜０〜６の整数であるからパラメータＨが最小値であるか否かを判定して、最小値の−６である場合には、メインコマンドダイアル３００の設定値を減少させる回転を無効とするために、本ステップをスキップさせている。
【００５１】
また、Ｓ１０２によって露出補正釦５００が押し下げられていないと判定すると、図７のＳ１１１以降の処理となる。
Ｓ１１１では、スイッチ６０１により、図３のブラケティング釦６００が押し下げられているか否かを判定する。押し下げられている場合は、ブラケティング設定のための操作が行われている判断して、Ｓ１１２へ進み、押し下げられていな場合は、ブラケティング設定のための操作は行われていないと判断して、Ｓ１１８へ進む。
【００５２】
Ｓ１１２では、スイッチ３０１，３０２により図３のメインコマンドダイアル３００が回転したか否かを判定する。回転の場合はＳ１１３へ進み、そうでない場合はＳ１１６へ進む。
Ｓ１１３では、フラグＢが０か否かの判定をする。０の場合はＳ１１４へ進み、そうでない場合はＳ１１５へ進む。すなわち、ブラケティング撮影が設定（Ｂ＝１）されていた場合には解除するために、また、解除（Ｂ＝０）されていた場合には設定するために、それぞれＳ１１４、Ｓ１１５へ進む。
【００５３】
Ｓ１１４では、フラグＢを１にセットし、Ｓ１１６へ進む。
Ｓ１１５では、フラグＢを０にセットし、Ｓ１１６へ進む。
Ｓ１１６では、表示のためにフラグＢが１か否かの判定をする。１の場合はＳ１１７へ進み、そうでない場合はＳ２９９へ進む。
【００５４】
Ｓ１１７では、図３のブラケティングマーク１００８を点灯させるための表示信号と、パラメータＮの値にもとづいたブラケティングバーグラフ１１００の表示のための信号とを、駆動回路１０３へ出力し、前記Ｓ１０１へ戻る。このとき、出力された表示信号にもとづいて、駆動回路１０３は、液晶表示部１０２を駆動して表示をさせる。ブラケティング釦６００を押し下げたときの一例として、Ｂ＝１，Ｎ＝３の表示例を図１５に示す。
【００５５】
Ｓ２９９では、パラメータＮの値にもとづいたブラケティングバーグラフ１１００の表示のための信号を駆動回路１０３へ出力し、前記Ｓ１０１へ戻る。このとき、出力された表示信号にもとづいて、駆動回路１０３は、液晶表示部１０２を駆動して表示をさせる。
【００５６】
また、Ｓ１１１によって、ブラケティング釦６００が押し下げられていないと判定すると、Ｓ１１８以降の処理となり、通常の撮影の準備のための表示処理となる。
Ｓ１１８では、パラメータＳが０か否かの判定をする。０の場合、すなわちフィルム感度自動設定（ＤＸ）の場合には、Ｓ１１９へ進み、１の場合には、Ｓ１３３へ進む。
Ｓ１１９では、パラメータＨが０以外か０かの判定をする。０以外、すなわち露出補正設定の場合には、Ｓ１２０へ進み、０、すなわち露出補正を設定していない場合には、Ｓ１２５へ進む。
【００５７】
Ｓ１２０では、フラグＢが０以外か０かの判定をする。０以外（１）の場合、すなわちブラケティング撮影設定の場合には、Ｓ１２１へ進み、０の場合、すなわちブラケティング撮影を設定していない場合には、Ｓ１２２へ進む。
【００５８】
Ｓ１２１では、カスタムセッティング項目の少なくとも一つ以上が設定されているか否かの判定をする。詳細は図１３に示される。
図１３は、本実施形態によるカメラのリセット装置の演算回路１０１のカスタムセッティング判定動作のサブルーチンを示すフローチャートである。
Ｓ５０１では、フラグＣ（１）が０か否かの判定をする。０であれば、カスタムセッティング項目１は設定されていないと判断して、Ｓ５０２へ進み、１であれば、カスタムセッティング項目１は設定されていると判断して、Ｓ５０６へ進む。
【００５９】
Ｓ５０２では、フラグＣ（２）が０か否かの判定をする。０であれば、カスタムセッティング項目２は設定されていないと判断して、Ｓ５０３へ進み、１であれば、カスタムセッティング項目２は設定されていると判断して、Ｓ５０６へ進む。
Ｓ５０３では、フラグＣ（３）が０か否かの判定をする。０であれば、カスタムセッティング項目３は設定されていないと判断して、Ｓ５０４へ進み、１であれば、カスタムセッティング項目３は設定されていると判断して、Ｓ５０６へ進む。
Ｓ５０４では、フラグＣ（４）が０か否かの判定をする。０であれば、カスタムセッティング項目４は設定されていないと判断して、Ｓ５０５へ進み、１であれば、カスタムセッティング項目４は設定されていると判断して、Ｓ５０６へ進む。
【００６０】
Ｓ５０５では、Ｓ５０１→Ｓ５０２→Ｓ５０３→Ｓ５０４→Ｓ５０５のフローで、Ｓ５０５へ到達した場合は、フラグＣ（１）、Ｃ（２）、Ｃ（３）、Ｃ（４）の全てが０であるので、カスタムセッティングフラグＣを０にセットして、カスタム判定の次のステップへリターンする。
【００６１】
Ｓ５０６では、Ｓ５０６へ至るフローは、少なくともフラグＣ（１）、Ｃ（２）、Ｃ（３）、Ｃ（４）の一つが１であるので、カスタムセッティング項目の少なくとも一つがセットされたと判断して、カスタムセッティングフラグＣを１にセットして、カスタム判定の次のステップへリターンする。
【００６２】
以上で図１３のカスタムセッティング判定を終了し、図７のＳ１２２へ戻る。図７のＳ１２２では、カスタムセッティングフラグＣが１か否かの判定をする。１の場合は、カスタムセッティングされていると判断して、Ｓ１２３へ進み、０の場合は、カスタムセッティングされていないと判断して、Ｓ１２４へ進む。
【００６３】
Ｓ１２３では、ＤＸマーク１００６を点灯するための信号と、露出補正マーク１００７を点灯するための信号と、ブラケティングマーク１００８を点灯するための信号と、カスタムマーク１００９を点灯するための信号と、パラメータＮにもとづいたブラケティングバーグラフ１１００を表示するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このときに、出力された表示信号にもとづいて、駆動回路１０３は、液晶表示部１０２を駆動して表示をさせる。このときの表示の一例を図１６に示す。
【００６４】
なお、一度も後述するＳ１３又はＳ２２の露出演算を通過していない場合は、シャッタ速度及び絞り値を演算できないため、前述したＳ１によってパラメータＴ、Ａを０にセットし、シャッタ速度及び絞り値をブランク表示（シャッタ速度表示部１００１と絞り値表示部１００２を消灯すること）とした。
また、フィルムがカメラに装填されていないときには、パラメータが０であり、このとき、フィルムが入っていないことを明示するために、カウンタには「Ｅ」を表示する。さらに、シャッタ速度を表示する際には、同時に、棒状セグメント１００４を同時に点灯し、絞り値を表示する際には、同時に、棒状セグメント１００５を点灯し、カウンタを表示する際には、同時に、括弧１０１１、１０１２を点灯する。
【００６５】
Ｓ１２４では、ＤＸマーク１００６を点灯するための信号と、露出補正マーク１００７を点灯するための信号と、ブラケティングマーク１００８を点灯するための信号と、パラメータＮにもとづいたブラケティングバーグラフ１１００を表示するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて駆動回路１０３は、液晶表示部１０２を駆動して表示をさせる。このときの表示の一例を図１７に示す。
【００６６】
図７で前述したＳ１２０によって、Ｂ＝０と判定した場合には、Ｓ１２５に進む。Ｓ１２５では、前述と同一内容のカスタム判定を行い、図８のＳ１２６へ進む。Ｓ１２６では、カスタムセッティングフラグＣが１か否かの判定をする。１の場合は、カスタムセッティングされていると判断して、Ｓ１２７へ進み、０の場合は、カスタムセッティングされていないと判断して、Ｓ１２８へ進む。
【００６７】
Ｓ１２７では、ＤＸマーク１００６を点灯するための信号と、露出補正マーク１００７を点灯するための信号と、カスタムマーク１００９を点灯するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて、駆動回路１０３は、液晶表示部１０２を駆動して表示をさせる。このときの表示の一例を図１８に示す。
【００６８】
Ｓ１２８では、ＤＸマーク１００６を点灯するための信号と、露出補正マーク１００７を点灯するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて、駆動回路１０３は、液晶表示部１０２を駆動して表示をさせる。このときの表示の一例を図１９に示す。
【００６９】
図７で前述したＳ１１９によって、Ｈ＝０と判定した場合には、Ｓ１２９に進む。Ｓ１２９では、前述と同一内容のカスタム判定を行い、図９のＳ１３０へ進む。Ｓ１３０では、カスタムセッティングフラグＣが１か否かの判定をする。１の場合は、カスタムセッティングされていると判断して、Ｓ１３１へ進み、０の場合は、カスタムセッティングされていないと判断して、Ｓ１３２へ進む。
【００７０】
Ｓ１３１では、ＤＸマーク１００６を点灯するための信号と、カスタムマーク１００９を点灯するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて、駆動回路１０３は、液晶表示部１０２を駆動して表示をさせる。このときの表示の一例を図２０に示す。
【００７１】
Ｓ１３２では、ＤＸマーク１００６を点灯するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて、駆動回路１０３は、液晶表示部１０２を駆動して表示をさせる。このときの表示の一例を図２１に示す。
【００７２】
図７で前述したＳ１１８によって、Ｓ≠０と判定した場合には、Ｓ１３３に進む。Ｓ１３３では、前述と同一内容のカスタム判定を行い、図１０のＳ１３４へ進む。Ｓ１３４では、カスタムセッティングフラグＣが１か否かの判定をする。１の場合は、カスタムセッティングされていると判断して、Ｓ１３５へ進み、０の場合は、カスタムセッティングされていないと判断して、Ｓ２９８へ進む。
【００７３】
Ｓ１３５では、カスタムマーク１００９を点灯するための信号と、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて、駆動回路１０３は、液晶表示部１０２を駆動して表示をさせる。このときの表示の一例を図２２に示す。
【００７４】
Ｓ２９８では、パラメータＴにもとづいたシャッタ速度を表示するための信号と、パラメータＡにもとづいた絞り値を表示するための信号と、パラメータＦにもとづいたカウンタを表示するための信号とを駆動回路１０３へ出力し、図４の設定・表示の次のステップに戻る。このとき、出力された表示信号にもとづいて、駆動回路１０３は、液晶表示部１０２を駆動して表示をさせる。このときの表示の一例を図２３に示す。
【００７５】
図６のＳ１０３によって、スイッチ６０１により、図３のブラケティング釦６００が押し下げられていると判定すると、リセット操作が行われたと判断して、Ｓ１３６へ進み、リセットのための処理を行う。
図６のＳ１３６では、計時時間ｔを０にセットする。
Ｓ１３７では、計時を開始する。
【００７６】
Ｓ１３８では、スイッチ５０１により、図３の露出補正釦５００が押し下げられているか否かを判定する。押し下げられていると判定すると、リセットのための操作が継続していると判断して、Ｓ１３９へ進み、押し下げられていないと判定すると、リセットのための操作が中断したと判断してＳ１４０へ進む。
【００７７】
Ｓ１３９では、スイッチ６０１により図３のブラケティング釦６００が押し下げられているか否かを判定する。押し下げられていると判定すると、リセット操作が継続していると判断して、Ｓ１４１へ進み、押し下げられていないと判定すると、リセットのための操作が中断したと判断して、Ｓ１４０へ進む。
【００７８】
Ｓ１４０では、計時を中止して前述したＳ１０１へ戻る。
Ｓ１４１では、計時時間ｔが１秒以上か否かの判定をする。１秒以上であれば、リセット操作（露出補正釦５００とブラケティング釦６００とが同時に１秒以上押し下げられること）が完了したと判断して、Ｓ１４２へ進み、１秒未満であれば、リセット操作が完了していないと判断して、Ｓ１３８へ戻る。
【００７９】
Ｓ１４２では、ブランク信号（液晶表示部１０２の全セグメントが消灯する信号）を駆動回路１０３へ出力する。この信号により、液晶表示部１０２は、全消灯となる。このときの液晶表示部１０２の表示状態を図２４に示す。
【００８０】
Ｓ１４３では、計時時間ｔが１．５秒以上か否かの判定をする。１．５秒以上であれば、Ｓ１４４へ進み、１．５秒未満であれば、Ｓ１４３によって１．５秒以上となるまで待つ。これにより、液晶表示部１０２は、図２５の状態を少なくとも０．５秒（５００msec）間保持する。
Ｓ１４４では、計時を停止する。
【００８１】
Ｓ１４５では、パラメータＨ，Ｂを０にセットするとともに、パラメータＮを１にセットする。これにより、モードダイアル４００が”Ｐ”に設定された状態で設定できる機能が解除されることになる。すなわち、Ｓ１４５でモードダイアル４００が”Ｐ”位置に設定されたときに、設定可能な機能がリセットされ、リセットされたことは、Ｓ１４３によって、液晶表示部１０２の表示が０．５秒間（一瞬）だけ消灯（ブランク表示）することで明確に表示される。
【００８２】
Ｓ１４６では、パラメータＳが０でないか否かの判定をする。０でない場合、すなわちフィルム感度自動設定（ＤＸ）の場合には、Ｓ１４７へ進み、１の場合には、Ｓ１５１へ進む。
Ｓ１４７では、前述と同一内容のカスタム判定を行う。
【００８３】
Ｓ１４８では、カスタムセッティングフラグＣが１か否かの判定をする。１の場合は、カスタムセッティングされていると判断して、Ｓ１４９へ進み、０の場合は、カスタムセッティングされていないと判断して、Ｓ１５０へ進む。
【００８４】
Ｓ１４９では、前述した図１０のＳ１３５と同一内容の表示処理をして、図４の設定・表示の次のステップへリターンする。
Ｓ１５０では、前述した図１０のＳ２９８と同一内容の表示処理をして、図４の設定・表示の次のステップへリターンする。
【００８５】
図６のＳ１５１では、前述と同一内容のカスタム判定を行う。Ｓ１５２では、カスタムセッティングフラグＣが１か否かの判定をする。１の場合は、カスタムセッティングされていると判断して、Ｓ１５３へ進み、０の場合は、カスタムセッティングされていないと判断して、Ｓ１５４へ進む。
【００８６】
Ｓ１５３では、前述した図９のＳ１３１と同一内容の表示処理をして、図４の設定・表示の次のステップへリターンする。
Ｓ１５４では、前述した図９のＳ１３２と同一内容の表示処理をして、図４の設定・表示の次のステップへリターンする。
以上説明したように、露出モードダイアル４００の文字”Ｐ”が指標４１０と対向し、露出補正釦５００又はブラケティング釦６００のいずれか一方が押されている場合を除いて、設定・表示（Ｓ２又はＳ９）から抜け出すことができる。すなわち、露出モードダイアル４００が”Ｐ”位置では、レリーズ動作が可能となる。
【００８７】
一方、図６のＳ１０１によって、スイッチ４０１，４０２の状態から、図３の露出モードダイアル４００の文字”Ｐ”が指標４１０と対向しないと判定すると図１１のＳ１５５へ進む。
【００８８】
Ｓ１５５では、スイッチ４０１，４０２の状態から、図３の露出モードダイアル４００の文字”ＣＳＭ”が指標４１０に対向するか否かを判定する。文字”ＣＳＭ”が指標４１０と対向すると判定すると、カスタムセッティングの設定のために、Ｓ１５６に進み、文字”ＣＳＭ”は指標４１０と対向しない、すなわち文字”ＩＳＯ”が指標４１０と対向すると判定すると、フィルム感度設定のために、図１２のＳ１９４へ進む。
【００８９】
Ｓ１５６では、スイッチ５０１により、図３の露出補正釦５００が押し下げられているか否かを判定する。押し下げられていると判定すると、リセットのための操作がなされていると判断して、Ｓ１７３へ進み、押し下げられていないと判定すると、リセットのための操作はなされていないと判断して、Ｓ１５７へ進む。
【００９０】
Ｓ１５７では、スイッチ３０１，３０２により、図３のメインコマンドダイアル３００が設定値を増加させる方向の回転（本実施形態では、反時計方向回転）したか否かを判定する。反時計方向回転の場合は、Ｓ１５８へ進み、そうでない場合は、Ｓ１６５へ進む。
Ｓ１５８では、パラメータＩの値が４か否かの判定をする。４の場合は、Ｓ１５９へ進み、４でない場合は、Ｓ１６０へ進む。
Ｓ１５９では、パラメータＩを１にセットして、Ｓ１６１へ進む。
Ｓ１６０では、パラメータＩの値を１だけアップして、Ｓ１６１へ進む。
【００９１】
本実施形態では、前述したように、パラメータＩは、１〜４の整数であるからパラメータＩが最大値４であるか否かを判定して、最大値の４である場合には、１に戻してサイクリックに数値が変化するようにし、４以外の場合には、パラメータＩの値を１だけアップするようにしている。
【００９２】
Ｓ１６１では、前述と同一内容のカスタム判定を行う。
Ｓ１６２では、カスタムセッティングフラグＣが１か否かの判定をする。１の場合は、カスタムセッティングされていると判断して、Ｓ１６３へ進み、０の場合は、カスタムセッティングされていないと判断して、Ｓ１６４へ進む。
【００９３】
Ｓ１６３では、カスタムマーク１００９を点灯するための信号と、パラメータＩにもとづいたカスタム番号をシャッタ速度表示部に表示するための信号と、フラグＣ（Ｉ）の値（設定１、非設定すなわち解除０）を表示するための信号とを駆動回路１０３へ出力し、図６のＳ１０１に戻る。このとき、出力された表示信号にもとづいて、駆動回路１０３は、液晶表示部１０２を駆動して表示をさせる。このときの表示の一例を図２５に示す。
【００９４】
Ｓ１６４では、パラメータＩにもとづいたカスタム番号をシャッタ速度表示部に表示するための信号と、フラグＣ（Ｉ）の値（設定１、非設定すなわち解除０）を表示するための信号とを駆動回路１０３へ出力し、図６のＳ１０１に戻る。このとき、出力された表示信号にもとづいて、駆動回路１０３は、液晶表示部１０２を駆動して表示をさせる。このときの表示の一例を図２６に示す。
以上説明したように、露出モードダイアル４００の文字”ＣＳＭ”が指標４１０と対向するときには、必ず、図６のＳ１０１へ戻るので、この位置を”Ｐ”にするまで、Ｓ２又はＳ９以降へ進まない。すなわち、レリーズ動作は、禁止されることになる。
【００９５】
また、Ｓ１５７によって、メインコマンドダイアル３００は、反時計方向回転していないと判定すると、Ｓ１６５へ進む。
Ｓ１６５では、スイッチ３０１，３０２により、図３のメインコマンドダイアル３００が設定値を減少させる方向の回転（本実施形態では、時計方向回転）したか否かを判定する。時計方向回転の場合は、Ｓ１６６へ進み、そうでない場合は、メインコマンドダイアル３００は回転していないと判断して、Ｓ１６９へ行く。
【００９６】
Ｓ１６６では、パラメータＩの値が１否かの判定をする。１の場合は、Ｓ１６７へ進み、１でない場合は、Ｓ１６８へ進む。
Ｓ１６７では、パラメータＩを４にセットして、前述したＳ１６１へ行く。
Ｓ１６０では、パラメータＩの値を１だけダウンして、前述したＳ１６１へ行く。
【００９７】
本実施形態では、前述したようにパラメータＩは、１〜４の整数であるから、パラメータＩが最小値１であるか否かを判定して、最小値の１である場合には、４にに戻してサイクリックに数値が変化するようにし、１以外の場合には、パラメータＩの値を１だけダウンするようにしている。
【００９８】
また、Ｓ１６５によって、メインコマンドダイアル３００は、時計方向回転していないと判定すると、Ｓ１６９へ進む。
Ｓ１６９では、スイッチ２０１，２０２により、図３のサブコマンドダイアル２００が回転したか否かを判定する。回転したと判定すると、Ｓ１７０へ進み、回転していないと判定すると、前述したＳ１６１へ行く
【００９９】
Ｓ１７０では、フラグＣ（Ｉ）が１か否かの判定をする。１と判定すると、Ｓ１７１へ進み、０と判定すると、Ｓ１７２へ進む。
Ｓ１７１では、サブコマンドダイアル２００の回転により、カスタムセッティング項目Ｉを解除するために、フラグＣ（Ｉ）を０にセットして、前述したＳ１６１へ行く。
【０１００】
Ｓ１７２では、サブコマンドダイアル２００の回転により、カスタムセッティング項目Ｉを設定するために、フラグＣ（Ｉ）を１にセットして、前述したＳ１６１へ行く。
以上のようにサブコマンドダイアル２００の回転により、カスタムセッティング項目Ｉが設定されていれば解除し、解除されていれば、設定するようになっている。
【０１０１】
前述したＳ１５６によってスイッチ５０１により、図３の露出補正釦５００が押し下げられていると判定すると、リセットのための操作がなされていると判断して、Ｓ１７３へ進む。
Ｓ１７３では、スイッチ６０１により、図３のブラケティング釦６００が押し下げられているか否かを判定する。押し下げられていると判定すると、リセットのための操作がなされていると判断して、Ｓ１７４へ進み、押し下げられていないと判定すると、リセットのための操作が中断したと判断して、前述したＳ１５７へ行く。
【０１０２】
Ｓ１７４では、計時時間ｔを０にセットする。
Ｓ１７５では、計時を開始する。
Ｓ１７６では、スイッチ５０１により、図３の露出補正釦５００が押し下げられているか否かを判定する。押し下げられていると判定すると、リセットのための操作が継続していると判断して、Ｓ１７７へ進み、押し下げられていないと判定すると、リセットのための操作が中断したと判断して、Ｓ１８８へ行く。
【０１０３】
Ｓ１７７では、スイッチ６０１により、図３のブラケティング釦６００が押し下げられているか否かを判定する。押し下げられていると判定すると、リセット操作が継続していると判断して、Ｓ１８９へ進み、押し下げられていないと判定すると、リセットのための操作が中断したと判断して、Ｓ１８８へ行く。
【０１０４】
Ｓ１８８では、計時を中止して前述した図６のＳ１０１へ戻る。
Ｓ１８９では、計時時間ｔが１秒以上か否かの判定をする。１秒以上であれば、リセット操作（露出補正釦５００とブラケティング釦６００とが同時に１秒以上押し下げられること）が完了したと判断して、Ｓ１９０へ進み、１秒未満であれば、リセット操作が完了していないと判断して、Ｓ１７６へ戻る。
【０１０５】
Ｓ１９０では、ブランク信号（液晶表示部１０２の全セグメントが消灯する信号）を駆動回路１０３へ出力する。この信号により、液晶表示部１０２は、全消灯となる。このときの液晶表示部１０２の表示状態は、前述した図２４となる。
【０１０６】
Ｓ１９１では、計時時間ｔが１．５秒以上か否かの判定をする。１．５秒以上であれば、Ｓ１９２へ進み、１．５秒未満であれば、Ｓ１９１によって１．５秒以上となるまで待つ。これにより、液晶表示部１０２は、図２４の状態を少なくとも０．５秒（５００msec）間保持する。
【０１０７】
Ｓ１９２では、計時を停止する。
Ｓ１９３では、フラグＣ（１）、Ｃ（２）、Ｃ（３）、Ｃ（４）を０にセットして、前述したＳ１６１へ行く。これにより、モードダイアル４００が”ＣＳＭ”に設定された状態で設定できる機能（カスタムセッティング機能）が解除されることになる。すなわち、Ｓ１９３でモードダイアル４００が”ＣＳＭ”位置に設定されたときに、設定可能な機能がリセットされ、リセットされたことは、Ｓ１９０によって液晶表示部１０２の表示が０．５秒間（一瞬）だけ消灯（ブランク表示）することで明確に表示される。
【０１０８】
一方、Ｓ１５５によって、スイッチ４０１，４０２の状態から、図３の露出モードダイアル４００の文字”ＣＳＭ”が指標４１０と対向しない、すなわち文字”ＩＳＯ”が指標４１０と対向すると判定すると、図１２のＳ１９４へ進む。
【０１０９】
Ｓ１９４では、スイッチ５０１により、図３の露出補正釦５００が押し下げられているか否かを判定する。押し下げられていると判定すると、リセットのための操作がなされていると判断して、Ｓ２０６へ進み、押し下げられていないと判定すると、リセットのための操作はなされていないと判断して、Ｓ１９５へ進む。
【０１１０】
Ｓ１９５では、スイッチ３０１，３０２により、図３のメインコマンドダイアル３００が設定値を増加させる方向の回転（本実施形態では、反時計方向回転）したか否かを判定する。反時計方向回転の場合は、Ｓ１９６へ進み、そうでない場合は、Ｓ２０２へ進む。
【０１１１】
Ｓ１９６では、パラメータＳの値が３１か否かの判定をする。３１の場合は、Ｓ１９７へ進み、３１でない場合は、Ｓ１９８へ進む。
Ｓ１９７では、パラメータＳを０にセットして、Ｓ１９９へ進む。
Ｓ１９８では、パラメータＳの値を１だけアップして、Ｓ１９９へ進む。
【０１１２】
本実施形態では、前述したようにパラメータＳは、０〜３１の整数であるから、パラメータＳが最大値３１であるか否かを判定して、最大値の３１である場合には、０に戻してサイクリックに数値が変化するようにし、３１以外の場合には、パラメータＩの値を１だけアップするようにしている。
【０１１３】
Ｓ１９９では、パラメータＳが０か否かの判定をする。０と判定すると、Ｓ２００へ進み、０以外と判定すると、Ｓ２０１へ進む。
Ｓ２００では、ＤＸマーク１００６を点灯するための信号を駆動回路１０３へ出力し、図６のＳ１０１に戻る。このとき、出力された表示信号にもとづいて、駆動回路１０３は、液晶表示部１０２を駆動して表示をさせる。このときの表示例を図２７に示す。
【０１１４】
Ｓ２０１では、パラメータＳにもとづいたフィルム感度をシャッタ速度表示部に表示するための信号を駆動回路１０３へ出力し、図６のＳ１０１に戻る。このとき、出力された表示信号にもとづいて、駆動回路１０３は、液晶表示部１０２を駆動して表示をさせる。このときの表示の一例を図２８に示す。
以上説明したように、露出モードダイアル４００の文字”ＩＳＯ”が指標４１０と対向するときには、必ず、図６のＳ１０１へ戻るので、この位置を”Ｐ”にするまで、Ｓ２又はＳ６以降へ進まない。すなわち、レリーズ動作は、禁止されることになる。
【０１１５】
一方、Ｓ１９５によって、メインコマンドダイアル３００は、反時計方向回転していないと判定すると、Ｓ２０２へ進む。Ｓ２０２では、スイッチ３０１，３０２により、図３のメインコマンドダイアル３００が設定値を減少させる方向の回転（本実施形態では、時計方向回転）したか否かを判定する。時計方向回転の場合は、Ｓ２０３へ進み、そうでない場合は、メインコマンドダイアル３００は回転していないと判断して、前述したＳ１９９へ行く。
【０１１６】
Ｓ２０３では、パラメータＳの値が０否かの判定をする。０の場合は、Ｓ２０４へ進み、０でない場合はＳ２０５へ進む。
Ｓ２０４では、パラメータＳを３１にセットして、前述したＳ１９９へ行く。
Ｓ２０５では、パラメータＳの値を１だけダウンして、前述したＳ１９９へ行く。
【０１１７】
本実施形態では、前述したように、パラメータＳは、０〜３１の整数であるからパラメータＳが最小値０であるか否かを判定して、最小値の０である場合には、３１に戻してサイクリックに数値が変化するようにし、０以外の場合には、パラメータＳの値を１だけダウンするようにしている。
【０１１８】
また、Ｓ１９４によって、露出補正釦５００は、押し下げられたと判定するとＳ２０６へ進む。Ｓ２０６では、スイッチ６０１により、図３のブラケティング釦６００が押し下げられているか否かを判定する。押し下げられていると判定すると、リセットのための操作がなされていると判断して、Ｓ２０７へ進み、押し下げられていないと判定すると、リセットのための操作が中断したと判断して、前述したＳ１９５へ行く。
【０１１９】
Ｓ２０７では、計時時間ｔを０にセットする。
Ｓ２０８では、計時を開始する。
Ｓ２０９では、スイッチ５０１により、図３の露出補正釦５００が押し下げられているか否かを判定する。押し下げられていると判定すると、リセットのための操作が継続していると判断して、Ｓ２１０へ進み、押し下げられていないと判定すると、リセットのための操作が中断したと判断して、Ｓ２１１へ行く。
【０１２０】
Ｓ２１０では、スイッチ６０１により、図３のブラケティング釦６００が押し下げられているか否かを判定する。押し下げられていると判定すると、リセット操作が継続していると判断して、Ｓ２１２へ進み、押し下げられていないと判定すると、リセットのための操作が中断したと判断して、Ｓ２１１へ行く。
【０１２１】
Ｓ２１１では、計時を中止して、前述した図６のＳ１０１へ戻る。
Ｓ２１２では、計時時間ｔが１秒以上か否かの判定をする。１秒以上であれば、リセット操作（露出補正釦５００とブラケティング釦６００とが同時に１秒以上押し下げられること）が完了したと判断して、Ｓ２１３へ進み、１秒未満であれば、リセット操作が完了していないと判断して、Ｓ２０９へ戻る。
【０１２２】
Ｓ２１３では、ブランク信号（液晶表示部１０２の全セグメントが消灯する信号）を駆動回路１０３へ出力する。この信号により液晶表示部１０２は全消灯となる。このときの液晶表示部１０２の表示状態は前述した図２４となる。
Ｓ２１４では、計時時間ｔが１．５秒以上か否かの判定をする。１．５秒以上であれば、Ｓ２１５へ進み、１．５秒未満であれば、Ｓ２１４によって１．５秒以上となるまで待つ。これにより、液晶表示部１０２は、図２４の状態を少なくとも０．５秒（５００msec）間保持する。
【０１２３】
Ｓ２１５では、計時を停止する。
Ｓ２１６では、パラメータＳを０にセットして、前述したＳ１９９へ行く。これにより、モードダイアル４００の文字”ＩＳＯ”が指標４１０に対向した場合に設定できる機能、すなわちフィルム感度設定機能において設定されたフィルム感度はフィルム感度自動設定にリセットされたことになる。
【０１２４】
すなわち、Ｓ２１６でモードダイアル４００が”ＩＳＯ”位置に設定されたときに設定可能な機能であるフィルム感度がフィルム感度自動設定の初期状態にリセットされ、リセットされたことは、Ｓ２１３によって液晶表示部１０２の表示が０．５秒間（一瞬）だけ消灯（ブランク表示）することで、明確に表示される。
以上で設定・表示であるＳ２が終了したことになる。
【０１２５】
次に、図４のＳ３に戻って、説明を続ける。図４のＳ３では、裏蓋検出装置１０６により、裏蓋が閉鎖されているか否かを検出する。閉鎖のときには、Ｓ４へ進み、開放のときには、Ｓ２へ戻る。
Ｓ４では、フィルム検出装置１０７により、パトローネが装填されてフィルムがあるかないかを検出する。フィルムありのときには、Ｓ５へ進み、フィルムなしのときには、Ｓ２へ戻る。
【０１２６】
Ｓ５では、フラグＣ（４）が０か否かの判定をする。０と判定すると、裏蓋の閉鎖動作でフィルムの初期送りを起動する設定であるので、Ｓ７へ進み、１と判定すると、裏蓋の閉鎖後レリーズ釦９００の押し下げでフィルムの初期送りを起動する設定であるので、Ｓ６へ進む。
【０１２７】
Ｓ６では、レリーズスイッチ９０１のオン、オフにより、レリーズ釦９００の押し下げを判定する。レリーズ釦９００が押し下げられたと判定すると、Ｓ７へ進み、押し下げられていないと、レリーズ釦９００が押し下げられたと判定するまでＳ６にとどまる。
【０１２８】
Ｓ７では、フィルム給送装置１０９により、フィルムを巻上げることによって、フィルムの第一駒目の位置出しを行う初期送りを実行する。
Ｓ８では、パトローネに設けられているフィルム感度に関するＤＸコードの信号を検出して記憶する。
Ｓ９では、前述した設定・表示の処理を行う。
Ｓ１０では、スイッチ７０１のオン、オフにより、巻戻し釦７００が押し下げられたか否かの判定をする。押し下げられたと判定すると、後述するＳ３１へ進み、押し下げられていないと判定すると、Ｓ１１へ進む。
【０１２９】
Ｓ１１では、フラグＢが１か否かの判定をする。１と判定すると、ブラケティングが設定されていると判断して、Ｓ１８以降のブラケティング撮影処理を行い、０と判定すると、Ｓ１２以降の通常撮影処理を行う。
【０１３０】
Ｓ１２では、測光素子１０４の出力する輝度情報を検出する。
Ｓ１３では、手動設定の場合は、Ｓ２又はＳ９によって設定したフィルム感度、自動設定（ＤＸ）の場合には、Ｓ８によってパトローネから検出して記憶したフィルム感度とＳ７によって検出した輝度情報とをもとに、シャッタ速度と絞り値とを算出する露出演算を行う。ここで、アペックス演算を行うこととし、フィルム感度をＳＶ、被写体輝度をＢＶ、シャッタ速度をＴＶ、絞り値をＡＶ、露出値をＥＶとすると、次式が成り立つ。
【０１３１】
ＢＶ＋ＳＶ＝ＴＶ＋ＡＶ＝ＥＶ    …（１）
【０１３２】
また、シャッタ速度ＴＶと絞り値ＡＶは、露出モードが決定すれば、算出できるが、ここでの実施形態では、プログラムモードであるので、たとえば、次式によって求められる。
【０１３３】
ＴＶ＝（ＢＶ＋ＡＶ）／２＋１＝ＥＶ／２＋１    …（２）
ＡＶ＝（ＢＶ＋ＡＶ）／２−１＝ＥＶ／２−１    …（３）
【０１３４】
Ｓ１４では、レリーズスイッチ９０１のオン、オフにより、不図示のレリーズ釦の押し下げを判定する。レリーズ釦が押し下げられたと判定すると、Ｓ１５へ進み、押し下げられていないと判定すると、Ｓ９へ戻る。
Ｓ１５では、前述したＳ１３によって算出したシャッタ速度ＴＶと絞り値ＡＶとなるように、露出制御装置１０５を制御してフィルムを露光する撮影を行う。
Ｓ１６では、フィルム給送装置１０９により、フィルムを１駒分巻き上げる駒送りを行う。
Ｓ１７では、終端検出装置１１０の出力により、終端か否かの判定をする。終端のときには、図５のＳ３０へ進み、終端でないときには、Ｓ９へ戻る。
【０１３５】
一方、Ｓ１１によってフラグＢが１と判定すると、ブラケティングが設定されていると判断してＳ１８へ進む。
Ｓ１８では、測光素子１０４の出力する輝度情報を検出する。
【０１３６】
Ｓ１９では、露出値ＥＶを算出する。
ＥＶ＝ＢＶ＋ＳＶ    …（４）
つまり、（４）式が成立するので、前述したＳ１３と同様に手動設定の場合は、Ｓ２又はＳ９によって設定したフィルム感度と、自動設定（ＤＸ）の場合には、Ｓ８によってパトローネから検出して記憶したフィルム感度と、Ｓ１８によって検出した輝度情報とをもとに、式（４）によって露出値ＥＶを算出する。
【０１３７】
Ｓ２０では、ブラケティング補正量ΔＥＶを、２−Ｎとして算出する。ここで、Ｎは、前述したブラケティング撮影の枚数を示す。なお、本実施形態では、ブラケティングにおける補正ステップを１段（１ＥＶ）とした。
【０１３８】
Ｓ２１では、Ｓ１９によって算出した輝度値ＥＶから、Ｓ２０によって算出したブラケティング補正量ΔＥＶを減算して、ブラケティング撮影時の露出値ＥＶとする。
Ｓ２２では、前述した式（２）のＴＶ＝ＥＶ／２＋１と、式（３）のＡＶ＝ＥＶ／２−１により、シャッタ速度と絞り値とを算出する露出演算を行う。
【０１３９】
Ｓ２３では、レリーズスイッチ９０１のオン、オフにより不図示のレリーズ釦の押し下げを判定する。レリーズ釦が押し下げられたと判定すると、Ｓ２４へ進み、押し下げられていないと判定すると、Ｓ９へ戻る。
【０１４０】
Ｓ２４では、前述したＳ２２によって算出したシャッタ速度ＴＶと絞り値ＡＶとなるように、露出制御装置１０５を制御して、フィルムを露光する撮影を行う。
Ｓ２５では、パラメータＮが３か否かの判定をする。３であれば、一連のオートブラケティング撮影は終了したと判断して、Ｓ２６へ進み、３以外であれば、一連のオートブラケティング撮影途中と判断して、Ｓ２７へ進む。
Ｓ２６では、一連のオートブラケティング撮影は終了したので、パラメータＮの値を１にセットする。
Ｓ２７では、一連のオートブラケティング撮影途中なので、パラメータＮを１だけアップする。
Ｓ２８では、フィルム給送装置１０９により、フィルムを１駒分巻き上げる駒送りを行う。
Ｓ２９では、終端検出装置１１０の出力により、終端か否かの判定をする。終端のときには、図５のＳ３０へ進み、終端でないときは、Ｓ９へ戻る。
Ｓ１７又はＳ２９によって、終端と判断すると、フィルム巻戻し動作を起動するための処理を、図５のＳ３０以降によって行う。
【０１４１】
図５において、Ｓ３０では、フラグＣ（１）が０か否かの判定をする。０と判定すると、フィルム終端自動巻戻しをするために、Ｓ３７へ進む。一方、０でないと判定すると、フィルム終端であっても、巻戻し釦７００を所定時間（１秒）以上押し続けて、フィルム巻戻し動作を起動するために、Ｓ３１へ進む。
【０１４２】
Ｓ３１では、スイッチ７０１のオン、オフにより、巻戻し釦７００が押し下げられたか否かの判定をする。押し下げられたと判定すると、Ｓ３２へ進み、押し下げられていないと判定すると、押し下げられるまで、Ｓ３１にとどまる。
Ｓ３２では、計時時間ｔを０にセットする。
Ｓ３３では、計時を開始する。
【０１４３】
Ｓ３４では、再度、スイッチ７０１のオン、オフにより、巻戻し釦７００が押し下げられたか否かの判定をする。押し下げられたと判定すると、Ｓ３５へ進み、押し下げられていないと判定すると、Ｓ３１へ戻る。
Ｓ３５では、計時時間ｔが１秒以上か否かの判定をする。１秒以上と判定すると、Ｓ３６へ進み、１秒未満と判定すると、Ｓ３４へ戻る。
Ｓ３６では、計時を停止し、Ｓ３７へ進む。
【０１４４】
Ｓ３７では、フラグＣ（２）が０か否かの判定をする。０と判定すると、高速巻戻しと判断して、Ｓ３８へ進み、１と判定すると、サイレント巻戻しと判断して、Ｓ３９へ進む。
Ｓ３８では、フィルム給送装置１０９の動力源であるモータを１００％のデューティ比、すなわちフル駆動させて、高速で巻戻し動作を行う。
Ｓ３９では、フィルム給送装置１０９の動力源であるモータを所定のデューティ比（約７５％程度の通電を行うデューティ比）によって駆動させて、モータの騒音を低減した巻戻し動作を行う。
【０１４５】
Ｓ４０では、フラグＣ（３）が０か否かの判定をする。０と判定するとフィルム交換により、フィルム感度を自動設定（ＤＸ）に復帰するように、Ｓ４１へ進み、以降の処理を行う。０以外、すなわち１と判定すると、設定されたフィルム感度を保持するために、Ｓ４１，４２をスキップしてＳ４３へ進む。
【０１４６】
Ｓ４１では、パラメータＳが０以外か否かの判定をする。０以外と判定すると、自動設定に復帰するように、Ｓ４２へ進み、０と判定すると、既に自動設定であるので、Ｓ４２をスキップして、Ｓ４３へ進む。
Ｓ４２では、パラメータＳを０にセットして、フィルム感度自動設定に復帰ささせる。
【０１４７】
Ｓ４３では、裏蓋検出装置１０６により、裏蓋が開放されているか否かを検出する。開放のときには、Ｓ４４へ進み、閉鎖のときには開放されるまで、Ｓ４３にとどまる。
Ｓ４４では、フィルム検出装置１０７により、パトローネが装填されてフィルムがあるかないかを検出する。フィルムなしのときには、Ｓ４５へ進み、フィルムありのときには、Ｓ４３へ戻る。
Ｓ４５では、パラメータＦの値を０にセットして、カウンタを「Ｅ」表示するようにして、Ｓ２へ戻る。
【０１４８】
以上詳しく説明したように、本実施形態によれば、以下のような種々の効果がある。
（１）  本実施形態によるカメラのリセット装置は、リセット操作を行うことにより、一瞬表示が消灯するので、所定時間だけリセット操作、本実施形態では、露出補正釦５００とブラケティング釦６００を１秒間以上押すこと、を行ったことがわかる。
したがって、誤って途中でこれらの釦を押すのを中断して、リセットされないことがあっても、表示が一瞬消灯しないので、リセットされていないことがわかる。もちろん、リセットされれば、表示が一瞬消灯するので、確実にリセットされたことを、カメラ操作者に示すことができる。
【０１４９】
（２）  また、モードダイアルの各設定位置によって設定できる機能のみ、リセットするようにしたので、誤ってリセットしたくない機能までリセットされることがなく、どの機能がリセットされるかが容易にわかり、使い勝手のよいカメラのリセット装置を提供できる。
【０１５０】
【発明の効果】
以上説明したように、本発明によれば、リセット操作を行うことにより、一瞬表示が消灯等のリセット表示をするので、確実にリセットされたことを、カメラ操作者が知ることができる。また、モード選択部の各モード設定位置において、設定できる機能のみ、リセットできるようにしたので、どの機能がリセットされるかが非常にわかりやすい。
【図面の簡単な説明】
【図１】本発明の実施形態によるリセット装置を有するカメラを示すブロック図である。
【図２】図１のカメラの液晶表示部を示す図である。
【図３】図１のカメラを示す上面図である。
【図４】本実施形態によるカメラのリセット装置のメインルーチンを示すフローチャートである。
【図５】本実施形態によるカメラのリセット装置のメインルーチンを示すフローチャートである。
【図６】本実施形態によるカメラのリセット装置の設定・表示動作のサブルーチンを示すフローチャートである。
【図７】本実施形態によるカメラのリセット装置の設定・表示動作のサブルーチンを示すフローチャートである。
【図８】本実施形態によるカメラのリセット装置の設定・表示動作のサブルーチンを示すフローチャートである。
【図９】本実施形態によるカメラのリセット装置の設定・表示動作のサブルーチンを示すフローチャートである。
【図１０】本実施形態によるカメラのリセット装置の設定・表示動作のサブルーチンを示すフローチャートである。
【図１１】本実施形態によるカメラのリセット装置の設定・表示動作のサブルーチンを示すフローチャートである。
【図１２】本実施形態によるカメラのリセット装置の設定・表示動作のサブルーチンを示すフローチャートである。
【図１３】本実施形態によるカメラのリセット装置のカスタム判定動作のサブルーチンを示すフローチャートである。
【図１４】本実施形態によるカメラのリセット装置の表示例を示す図である。
【図１５】本実施形態によるカメラのリセット装置の表示例を示す図である。
【図１６】本実施形態によるカメラのリセット装置の表示例を示す図である。
【図１７】本実施形態によるカメラのリセット装置の表示例を示す図である。
【図１８】本実施形態によるカメラのリセット装置の表示例を示す図である。
【図１９】本実施形態によるカメラのリセット装置の表示例を示す図である。
【図２０】本実施形態によるカメラのリセット装置の表示例を示す図である。
【図２１】本実施形態によるカメラのリセット装置の表示例を示す図である。
【図２２】本実施形態によるカメラのリセット装置の表示例を示す図である。
【図２３】本実施形態によるカメラのリセット装置の表示例を示す図である。
【図２４】本実施形態によるカメラのリセット装置の表示例を示す図である。
【図２５】本実施形態によるカメラのリセット装置の表示例を示す図である。
【図２６】本実施形態によるカメラのリセット装置の表示例を示す図である。
【図２７】本実施形態によるカメラのリセット装置の表示例を示す図である。
【図２８】本実施形態によるカメラのリセット装置の表示例を示す図である。
【符号の説明】
１０１  演算回路
１０２  液晶表示部
１０３  駆動回路
１０４  測光素子
１０５  露出制御装置
１０６  裏蓋検出装置
１０７  フィルム検出装置
１０８  パトローネ情報検出装置
１０９  フィルム給送装置
１１０  終端検出装置
２００  サブコマンドダイアル
３００  メインコマンドダイアル
４００  モードダイアル
５００  露出補正釦
６００  ブラケティング釦
７００  巻戻し釦
９００  レリーズ釦
５１０，６１０  指標
【図１】
0004279967.tif 000009
【図２】
0004279967.tif 000010
【図３】
0004279967.tif 000011
【図４】
0004279967.tif 000012
【図５】
0004279967.tif 000013
【図６】
0004279967.tif 000014
【図７】
0004279967.tif 000015
【図８】
0004279967.tif 000016
【図９】
0004279967.tif 000017
【図１０】
0004279967.tif 000018
【図１１】
0004279967.tif 000019
【図１２】
0004279967.tif 000020
【図１３】
0004279967.tif 000021
【図１４】
0004279967.tif 000022
【図１５】
0004279967.tif 000023
【図１６】
0004279967.tif 000024
【図１７】
0004279967.tif 000025
【図１８】
0004279967.tif 000026
【図１９】
0004279967.tif 000027
【図２０】
0004279967.tif 000028
【図２１】
0004279967.tif 000029
【図２２】
0004279967.tif 000030
【図２３】
0004279967.tif 000031
【図２４】
0004279967.tif 000032
【図２５】
0004279967.tif 000033
【図２６】
0004279967.tif 000034
【図２７】
0004279967.tif 000035
【図２８】
0004279967.tif 000036